(57)【要約】【課題】折畳み状態から略直方体状に簡単に、迅速に組立てでき、サイズの異なる収納物を商品収納空間にガタつかずに一緒に収納でき、組立包装箱を大きい収納物に合せて形成する必要がなく、組立包装箱自体の大きさを揃え易く、構成簡素で、一枚のシート状素材から簡単に構成でき、印刷が簡単に行え、堅牢で、耐久性に優れ、量産に適し、低廉で、経済的な組立包装箱を提供する。【解決手段】仕切板１０と左右仕切側片１１、１２とで商品収納空間を形成し、切込線で仕切板１０の一部に垂下片１４、糊付片１５を設け、仕切板１０に連設した垂下片１４の上縁に連設する糊付片１５を天板２に貼着し、垂下片１４の下部に、少なくとも一つの二方向用ストッパー片１６を設け、ストッパー片１６の下縁部分が、大きい収納物の上方への移動を規制し、ストッパー片１６の正面がわ端縁部分が、小さい収納物の背面がわへの移動を規制するよう形成する。【選択図】        図１
2004210314.tif 000002
【特許請求の範囲】
【請求項１】
底板と、天板と、右側板と、左側板と、正面蓋板と、背面蓋板とを有し、折畳み状態から略直方体状に組立て可能な箱基体を形成し、この箱基体内に配されると共に、底板に対して略平行に配される仕切板と、この仕切板の左右側縁に折目線を介して連設されると共に、底板に折目線を介して連設される左仕切側片及び右仕切側片とで、商品収納空間を形成し、仕切板に適宜切込線を設けて、仕切板の一部を垂下片及び糊付片とし、垂下片は、折目線を介して仕切板に連設され、糊付片は、垂下片の上縁に折目線を介して連設されると共に、天板に貼着され、箱基体を折畳み状態から略直方体状に組立てたときに、左仕切側片、右仕切側片、及び垂下片が倒伏状態から略起立状態となるように形成し、垂下片の下部に、少なくとも一つの二方向用ストッパー片を設け、この二方向用ストッパー片の下縁部分が、前記商品収納空間下部に収納される大きい収納物の上方への移動を規制できるように形成し、二方向用ストッパー片の正面がわ端縁部分が、前記商品収納空間上部に収納されると共に前記大きい収納物の上に置かれる小さい収納物の背面がわへの移動を規制できるように形成したことを特徴とするサイズの異なる複数の収納物用組立包装箱。
【請求項２】
垂下片の背面がわ下部に、一方向用ストッパー片を設け、この一方向用ストッパー片の正面がわ端縁部分が、商品収納空間下部に収納される大きい収納物の背面がわへの移動を規制できるように形成したことを特徴とする請求項１記載のサイズの異なる複数の収納物用組立包装箱。
【発明の詳細な説明】
【０００１】
【発明の属する技術分野】
本発明は、例えば、ケース入り記録担体（例えば、ＣＤ、ＣＤＲＯＭ、ＤＶＤ、ＤＶＤＲＯＭ、ビデオテープ、その他）と、この記録担体に関連すると共にサイズの異なる解説書やマニュアル書やその他の関連品等とを、箱自体の大きさにかかわらず、ガタつくことなく、一緒に収納できるようにしたサイズの異なる複数の収納物用組立包装箱に関するものである。
【０００２】
【従来の技術】
従来、この種のサイズの異なる複数の収納物用組立包装箱としては種々のものが提供されており、例えば、特許文献１の包装用容器がある。
これは、包装用容器の外郭を形成する外壁板と内部の空処を区画形成する仕切り壁とが折り畳み重合状態から起立拡開されることにより、内部に所要の空処を区画形成するようにした包装用容器において、上記外壁板と仕切り壁とが厚紙あるいは段ボール等の１枚の板材で連設成形され、かつ、上記仕切り壁が、全切り溝罫、半切り溝罫、または全切り点溝罫により方形または縦長の段部を容易に拡開できるように構成したものである。
【０００３】
【特許文献１】
登録実用新案公報第３０４６７８３号（図９、図１１）
【０００４】
【発明が解決しようとする課題】
しかして、前述の如き包装用容器等は、内部の空処を区画形成する仕切り壁で仕切られた一方の収納部分と、他方の収納部分とに、サイズの異なる収納物を夫々収納せしめるものであり、これによれば包装用容器自体を大きいほうの収納物にある程度合せて形成しなければならない難点があった。また、収納物に合せて包装用容器を形成するようになると、包装用容器自体の大きさが他の包装用容器と不揃いとなったり、包装用容器自体が比較的小さく形成されるようになる等の難点があった。
すなわち、包装用容器自体の大きさを、収納物の寸法にかかわりなく比較的大きく且つ揃えられるように形成した場合は、収納物の安定的な収納が難しくなるか、或いは、充填物等によって隙間を詰める必要が生じるようになる等の難点があった。
特に、従来のコンピューターゲーム用ソフトの組立包装箱等にあっては、その外表面にイラストや使用説明の概略等の表示を多く必要とするため、比較的大きな寸法（例えば、縦が２５０ｍｍ、横が２１５ｍｍ）に形成されたものが数多く提供されているが、その中に収納されるケース入り記録担体や、この記録担体に関連する解説書やマニュアル書等は、組立包装箱よりかなり小さいため、前述のような包装用容器の手段を採用することができない。
【０００５】
【課題を解決するための手段】
そこで、本発明は、前述の如き難点等を解消すべく創出されたもので、請求項１記載の組立包装箱は、底板１と、天板２と、右側板３と、左側板４と、正面蓋板５と、背面蓋板６とを有し、折畳み状態から略直方体状に組立て可能な箱基体Ａを形成し、この箱基体Ａ内に配されると共に、底板１に対して略平行に配される仕切板１０と、この仕切板１０の左右側縁に折目線２０を介して連設されると共に、底板１に折目線２０を介して連設される左仕切側片１１及び右仕切側片１２とで、商品収納空間を形成し、仕切板１０に適宜切込線を設けて、仕切板１０の一部を垂下片１４及び糊付片１５とし、垂下片１４は、折目線２０を介して仕切板１０に連設され、糊付片１５は、垂下片１４の上縁に折目線２０を介して連設されると共に、天板２に貼着され、箱基体Ａを折畳み状態から略直方体状に組立てたときに、左仕切側片１１、右仕切側片１２、及び垂下片１４が倒伏状態から略起立状態となるように形成し、垂下片１４の下部に、少なくとも一つの二方向用ストッパー片１６を設け、この二方向用ストッパー片１６の下縁部分が、前記商品収納空間下部に収納される大きい収納物の上方への移動を規制できるように形成し、二方向用ストッパー片１６の正面がわ端縁部分が、前記商品収納空間上部に収納されると共に前記大きい収納物の上に置かれる小さい収納物の背面がわへの移動を規制できるように形成する手段を採用した。
【０００６】
また、請求項２記載の組立包装箱は、垂下片１４の背面がわ下部に、一方向用ストッパー片１７を設け、この一方向用ストッパー片１７の正面がわ端縁部分が、商品収納空間下部に収納される大きい収納物の背面がわへの移動を規制できるように形成する手段を採用した。
【０００７】
【発明の実施の形態】
以下、本発明を図示例に基づいて説明する。
本発明は、その外表面への印刷等が簡単に行えるように、一枚の段ボール材や、その他一枚の紙材や、一枚の適宜複合シート材等によって組立てできるものであり、主に、ケース入り記録担体（例えば、ＣＤ、ＣＤＲＯＭ、ＤＶＤ、ＤＶＤＲＯＭ、ビデオテープ、その他）等の収納物と、この収納物（ケース入り記録担体）に関連すると共にサイズの異なる解説書やマニュアル書やその他の関連品等の適数の収納物とを、ガタつくことなく、安定的に、且つ簡単に収納できるようにした組立包装箱である。
【０００８】
そして、この組立包装箱は、例えば、略矩形板状の底板１と、略矩形板状の天板２と、底板１及び天板２の右側縁夫々に折目線９を介して連設される略細長矩形板状の右側板３と、天板２の左側縁に折目線９を介して連設される略細長矩形板状の左側板４と、底板１（或いは天板２）の正面がわ端縁に折目線９を介して連設される略細長矩形板状の正面蓋板５と、天板２（或いは底板１）の背面がわ端縁に折目線９を介して連設される略細長矩形板状の背面蓋板６とを有し、折畳み状態から略直方体状に組立て可能な箱基体Ａを形成する。尚、図中７は、右側板３、左側板４の正面がわ端縁及び背面がわ端縁に夫々折目線９を介して連設される折込片で、図中８は、正面蓋板５の下端縁及び背面蓋板６の上端縁に夫々折目線９を介して連設される差込片である。
【０００９】
それから、前記箱基体Ａ内に配されると共に、底板１に対して略平行に配される略矩形板状の仕切板１０と、この仕切板１０の左右側縁に折目線２０を介して連設されると共に、底板１に折目線２０を介して連設される略細長矩形板状或いは略細長台形状の左仕切側片１１及び右仕切側片１２とで、収納される複数の収納物に対応する寸法の商品収納空間が箱基体Ａ内に形成されている。
具体的には、底板１の左側縁に折目線９を介して略細長矩形板状の左仕切側片１１を連設し、この左仕切側片１１の上縁に折目線２０を介して略矩形板状の仕切板１０を連設し、この仕切板１０の右側縁に折目線２０を介して略細長台形板状の右仕切側片１２を連設し、この右仕切側片１２の下縁に折目線２０を介して略細長矩形板状の糊付片１３を連設し、この糊付片１３を底板１の所定位置に貼着すると共に、左仕切側片１１に左側板４を貼着して構成されている。
【００１０】
更に、仕切板１０には、適宜切込線を設けて、仕切板１０の一部を垂下片１４及び糊付片１５とし、垂下片１４は、折目線２０を介して仕切板１０に連設され、糊付片１５は、垂下片１４の上縁に折目線２０を介して連設されると共に、天板２に貼着され、箱基体Ａを折畳み状態から略直方体状に組立てたときに、左仕切側片１１、右仕切側片１２、及び垂下片１４が倒伏状態から略起立状態となるように形成されている。
しかも、垂下片１４下部の正面がわには、略台形板状の二方向用ストッパー片１６が設けられ、この二方向用ストッパー片１６の下縁部分が、仕切板１０より下方に位置し且つ底板１との間に所望の間隔が設けられるように配されると共に、前記商品収納空間下部に収納される大きい収納物が上方へ移動しようとするのを規制できるように形成されている。また、二方向用ストッパー片１６の正面がわ端縁部分は、前記商品収納空間上部に収納されると共に前記大きい収納物の上に置かれる小さい収納物が、背面がわへ移動しようとするのを規制できるように形成されている（図３、図６参照）。尚、二方向用ストッパー片１６は、垂下片１４の下部に複数設けることができ、その時は、収納できる収納物の数も増えるようになる。
【００１１】
加えて、垂下片１４下部の背面がわには、略台形板状の一方向用ストッパー片１７が設けられ、この一方向用ストッパー片１７の正面がわ端縁部分は、商品収納空間下部に収納される大きい収納物が背面がわへ移動しようとするのを規制できるように形成されている（図３参照）。
【００１２】
尚、仕切板１０の背面がわ端縁に折目線２０を介して略細長矩形板状の後部背面片１８を連設し、この後部背面片１８の下端縁に折目線２０を介して略細長矩形板状の後部底片１９を連設し、前記後部背面片１８が一方向用ストッパー片１７の代わりに、商品収納空間下部に収納される大きい収納物の背面がわへの移動を規制できるようにしても良い（図６参照）。
【００１３】
ところで、組立包装箱の具体的構成、形状、寸法、材質、箱基体Ａの具体的構成、形状、寸法、材質、底板１の具体的構成、形状、寸法、材質、天板２の具体的構成、形状、寸法、材質、右側板３の具体的構成、形状、寸法、材質、左側板４の具体的構成、形状、寸法、材質、正面蓋板５の具体的構成、形状、寸法、材質、背面蓋板６の具体的構成、形状、寸法、材質、折込片７の具体的構成、形状、寸法、材質、差込片８の具体的構成、形状、寸法、材質、折目線９の具体的構成、形状、寸法、仕切板１０の具体的構成、形状、寸法、材質、配設位置、左仕切側片１１の具体的構成、形状、寸法、材質、右仕切側片１２の具体的構成、形状、寸法、材質、糊付片１３の具体的構成、形状、寸法、材質、垂下片１４の具体的構成、形状、寸法、材質、糊付片１５の具体的構成、形状、寸法、材質、二方向用ストッパー片１６の具体的構成、形状、寸法、材質、数、配設位置、一方向用ストッパー片１７の具体的構成、形状、寸法、材質、配設位置、後部背面片１８の具体的構成、形状、寸法、材質、後部底片１９の具体的構成、形状、寸法、材質、折目線２０の具体的構成、形状、寸法等は、図示例のもの等に限定されることなく、適宜自由に設定、変更できるものである。
【００１４】
本発明の組立包装箱は、前述の如く構成されており、その一使用例としては、先ず、その不使用（保管）時には、底板１と仕切板１０と天板２とが重なるような折畳み状態としておき、嵩張らずに保管できるようにしておく。
そして、その使用時には、底板１と仕切板１０と天板２とが相互に離れると共に、右側板３、左側板４、左仕切側片１１、右仕切側片１２、垂下片１４が底板１に対して直交する方向に起立するようにし、背面がわの折込片７を折曲げると共に、背面蓋板６を底板１に対して直交する方向に折曲げながら、背面がわの差込片８を箱基体Ａ内に差し込むようにする。
それから、ケース入り記録担体（例えば、ＣＤ、ＣＤＲＯＭ、ＤＶＤ、ＤＶＤＲＯＭ、ビデオテープ、その他）等の収納物に関連する解説書やマニュアル書やその他の関連品等の大きい方の収納物を、垂下片１４下部と底板１との間の商品収納空間の下部（底板１、左仕切側片１１の下部、右仕切側片１２の下部、ストッパー片１６の下縁、ストッパー片１７の正面がわ端縁、正面蓋板５で囲繞される空間）に収納する。このとき、この収納物は、一方向用ストッパー片１７の正面がわ端縁によって背面がわへの移動が阻止されると共に、二方向用ストッパー片１６の下縁によって上方への移動が阻止されるようになる。
次に、ケース入り記録担体（例えば、ＣＤ、ＣＤＲＯＭ、ＤＶＤ、ＤＶＤＲＯＭ、ビデオテープ、その他）等の小さい方の収納物を、前記大きい方の収納物の上に置くように収納空間の上部（仕切板１０、左仕切側片１１の上部、右仕切側片１２の上部、二方向用ストッパー片１６の正面がわ端縁、正面蓋板５、大きい方の収納物の上面で囲繞される空間）に収納する。このとき、この収納物は、二方向用ストッパー片１６の正面がわ端縁によって背面がわへの移動が阻止されると共に、仕切板１０によって上方への移動が阻止されるようになる。
更に、正面がわの折込片７を折曲げると共に、正面蓋板５を底板１に対して直交する方向に折曲げながら、正面がわの差込片８を箱基体Ａ内に差し込むようにして、商品収納空間の正面がわ開口部分を正面蓋板５で閉鎖し、サイズの異なる複数の収納物が、ガタつくことなく安定的に組立包装箱内に収納された状態となる。
【００１５】
【発明の効果】
従って、本発明の請求項１記載の組立包装箱は、底板１と、天板２と、右側板３と、左側板４と、正面蓋板５と、背面蓋板６とを有し、折畳み状態から略直方体状に組立て可能な箱基体Ａを形成し、この箱基体Ａ内に配されると共に、底板１に対して略平行に配される仕切板１０と、この仕切板１０の左右側縁に折目線２０を介して連設されると共に、底板１に折目線２０を介して連設される左仕切側片１１及び右仕切側片１２とで、商品収納空間を形成し、仕切板１０に適宜切込線を設けて、仕切板１０の一部を垂下片１４及び糊付片１５とし、垂下片１４は、折目線２０を介して仕切板１０に連設され、糊付片１５は、垂下片１４の上縁に折目線２０を介して連設されると共に、天板２に貼着され、箱基体Ａを折畳み状態から略直方体状に組立てたときに、左仕切側片１１、右仕切側片１２、及び垂下片１４が倒伏状態から略起立状態となるように形成し、垂下片１４の下部に、少なくとも一つの二方向用ストッパー片１６を設け、この二方向用ストッパー片１６の下縁部分が、前記商品収納空間下部に収納される大きい収納物の上方への移動を規制できるように形成し、二方向用ストッパー片１６の正面がわ端縁部分が、前記商品収納空間上部に収納されると共に前記大きい収納物の上に置かれる小さい収納物の背面がわへの移動を規制できるように形成したので、組立包装箱自体が折畳み状態から略直方体状に簡単に且つ迅速に組立てできるようになる。しかも、構成が簡素で、一枚のシート状素材から簡単に構成でき、外表面への印刷が簡単に行え、比較的堅牢で、耐久性に優れ、量産に適し、低廉で、経済的な組立包装箱となる。
加えて、本発明によれば、例えば、ケース入り記録担体等の収納物と、この記録担体に関連すると共にサイズの異なる解説書やマニュアル書やその他の関連品等の収納物とを、商品収納空間内にガタつくことなく、一緒に収納できるようになり、組立包装箱を大きいほうの収納物に合せた寸法で形成するような必要がなくなるため、組立包装箱自体の大きさを他の組立包装箱に揃え易く、且つ組立包装箱自体を比較的大きく形成できるようになる。すなわち、組立包装箱自体の大きさを、収納物の寸法にかかわりなく形成できるようになると共に、収納物を安定的に収納できるようになる。
ひいては、コンピューターゲーム用ソフトの組立包装箱のように、その外表面にイラストや使用説明の概略等のより多く表示（情報）が施せるようになり、外観上の体裁が良い組立包装箱を提供できるようになる。
【００１６】
特に、垂下片１４の下部に、少なくとも一つの二方向用ストッパー片１６を設け、この二方向用ストッパー片１６の下縁部分が、前記商品収納空間下部に収納される大きい収納物の上方への移動を規制できるように形成し、二方向用ストッパー片１６の正面がわ端縁部分が、前記商品収納空間上部に収納されると共に前記大きい収納物の上に置かれる小さい収納物の背面がわへの移動を規制できるように形成したので、二方向用ストッパー片１６により、大きい方の収納物の上に小さい方の収納物を置いた状態で、夫々の収納物を商品収納空間内でガタつくことなく安定的に収納できるようになる。しかも、垂下片１４及びストッパー片１６を仕切板１０に簡単に設けられるようになる。
【００１７】
また、本発明の請求項２記載の組立包装箱は、垂下片１４の背面がわ下部に、一方向用ストッパー片１７を設け、この一方向用ストッパー片１７の正面がわ端縁部分が、商品収納空間下部に収納される大きい収納物の背面がわへの移動を規制できるように形成したので、一方向用ストッパー片１７を仕切板１０に簡単に設けられるようになると共に、この簡単な構成の一方向用ストッパー片１７によって、商品収納空間下部に収納される大きい収納物の背面がわへの移動を確実に且つ簡単に阻止できるようになる。
【図面の簡単な説明】
【図１】本発明の組立包装箱を例示する展開図である。
【図２】本発明の組立包装箱を例示する縦断正面図である。
【図３】本発明の組立包装箱を例示する縦断側面図である。
【図４】本発明の他の組立包装箱を例示する展開図である。
【図５】本発明の他の組立包装箱を例示する縦断正面図である。
【図６】本発明の他の組立包装箱を例示する縦断側面図である。
【符号の説明】
Ａ    箱基体
１    底板                      ２    天板
３    右側板                    ４    左側板
５    正面蓋板                  ６    背面蓋板
７    折込片                    ８    差込片
９    折目線                    １０  仕切板
１１  左仕切側片                １２  右仕切側片
１３  糊付片                    １４  垂下片
１５  糊付片                    １６  ストッパー片
１７  ストッパー片              １８  後部背面片
１９  後部底片                  ２０  折目線
【図１】
2004210314.tif 000003
【図２】
2004210314.tif 000004
【図３】
2004210314.tif 000005
【図４】
2004210314.tif 000006
【図５】
2004210314.tif 000007
【図６】
2004210314.tif 000008